(57)【要約】  ハウジング（１０）内に取付けられているセンサ（１）特にヨーレイトセンサの操作方法が提案される。センサ（１）の出力される測定値に対する機械的振動の有害な影響を検出するため、機械的振動がセンサ（１）の所で検出され、振動が所定の強さで超過する限り、センサ（１）及びセンサ（１）と共同作用する電子装置（３）が動作停止される。この方法は、特に路面車両の車両運動制御（ＦＤＲ）装置内で使用可能である。【選択図】図１
2007532932.tif 000002
【特許請求の範囲】
【請求項１】
ハウジング（１０）内で板（７）上に取付けられているセンサ（１）特にヨーレイトセンサの操作方法において、機械的振動がセンサ（１）の所で検出され、振動が所定の強さを超過しかつ／又は所定の振動数帯域内で生じる限り、センサ（１）及びセンサ（１）と共同作用する電子装置（３）が動作停止されることを特徴とする、方法。
【請求項２】
機械的振動が１つ又は複数の加速度センサ（４，５，６）により測定されることを特徴とする、請求項１に記載の方法。
【請求項３】
加速度センサ（４，５，６）がセンサ（１）のすぐ近くに設けられていることを特徴とする、請求項２に記載の方法。
【請求項４】
加速度センサ（４，５，６）が異なる帯域幅及び／又は測定方向を持っていることを特徴とする、請求項１〜３の１つに記載の方法。
【請求項５】
加速度センサ（４，５，６）の帯域幅が３００〜４５０Ｈｚであることを特徴とする、請求項４に記載の方法。
【請求項６】
ハウジング（１０）及び／又は板（７）が、機械的に、振動励振の際狭く限定された最小数の共振範囲のみを形成するように、形成されていることを特徴とする、請求項１〜５の１つに記載の方法。
【請求項７】
板（７）が振動を減衰するように取付け具（８，９）に支持されていることを特徴とする、請求項１〜６の１つに記載の方法。
【発明の詳細な説明】
【技術分野】
【０００１】  本発明は、請求項１の上位概念に記載のセンサの操作方法に関する。
【背景技術】
【０００２】  このようなセンサ特にヨーレイトセンサは、付属する評価電子装置と共に、ハウジング内に好都合に取付けることができる。センサは、他の電子装置と共に同じ板上に取付けるか、固有の板（ベビーボード）を持つことができる。ヨーレイトセンサは、例えば車両運動制御（ＦＤＲ）、間隔制御（ＡＣＣ）及び転覆制御（ＲＳＣ）において使用される。ヨーレイトセンサは、車両の垂直な軸線の周りの回転を検出する。このためセンサ内に、振動する素子例えば音叉又は異なるように形成された振動体が設けられている。これは振動させられ、垂直な軸線の周りに回転する際、コリオリの力によって生じる偏位を検出する。公知のヨーレイトセンサ（国際公開第０３／０６７１９０号明細書、ドイツ連邦共和国の特許出願公開第１０２１５８５３号明細書及び特許第４４４４９７３号明細書）は大抵微小機械的に製造され、従って震動及び他の機械的振動に対して傷つき易い。このような障害は、測定値を誤らせるだけでなく、センサを破壊させる可能性がある。【０００３】  前記のように測定値を誤らせることは、上述した自動車への適用では、特に危険とみなされる。なぜならば、これにより誤った制御信号が発生され、従って車両及び運転者を危険にさらす可能性があるからである。その場合制御信号は真の車両挙動に一致していない。更に制御信号が、制御システムに対して、すべての場合において実際のヨーレイトと異なっているわけではない。【０００４】  対策のため、センサを取付けられる板を特別に弾性的にかつ減衰するように形成することが公知である。しかしこれは電子装置の著しい価格上昇を意味する。更にこのような減衰装置は、技術的に制御するのは困難である。なぜならば、弾性及び減衰は、老化により時間と共に変化するからである。【０００５】  実験においてわかったように、特に特定の振動数範囲すなわち３００〜４５０Ｈｚの振動は、ヨーレイトセンサの乱される出力信号に対して責任がある。これらの乱される出力信号は、特定の振動レベルから、出力信号のＤＣ−オフセットを生じる。【０００６】  振動及び衝撃に対して傷つかない特に高級なヨーレイトセンサを使用することも当然考えられる。しかしこのようなセンサの高い価格のため、自動車における量産部品としての使用は適当でない。
【発明の開示】
【発明が解決しようとする課題】
【０００７】  本発明の基礎になっている課題は、ヨーレイトセンサの誤りのある出力信号を回避するか、又は車両運動制御又は他の車両システムに対してこのような誤りのある信号が及ぼす有害な影響を防止することである。
【課題を解決するための手段】
【０００８】  この課題は請求項１に含まれる発明によって解決される。従属請求項は有利な展開を含んでいる。【０００９】  本発明による方法の適用に予って、今までより著しく安価なヨーレイトセンサが使用可能である。その結果ＦＤＲシステムの著しい価格低下が行われる。これは、付加的な加速度センサによる価格上昇を考慮しても有利である。【００１０】  更に板の振動を減衰するため費用のかかる方策もなくすことができ、ハウジングのために安価な材料例えばプラスチックを使用することができる。【００１１】  本発明が図面により以下に詳細に説明される。
【発明を実施するための最良の形態】
【００１２】  図１は、種々の電子部品１，３，４，５，６がろう着けされている板７を示している。板７は取付け具８，９により電子装置ハウジング１０内に固定される。電子装置ハウジング１０は、例えば車両運動制御装置（ＦＤＲ）を収容し、自動車の車内に設けることができる。【００１３】  板７は、とりわけセンサ１特にヨーレイトセンサの出力信号を受信して評価する電子装置３を持っている。部品（電子装置）３は、車両運動制御装置の別の部材の代わりになっている。【００１４】  本発明による方法を実施するため、ヨーレイトセンサ１のすぐ近くに、１つ又は複数ここでは３つの加速度センサ４，５，６が設けられている。これらの加速度センサは、それらが振動の種々の帯域幅又は振動数を測定でき、かつ／又は種々の測定方向を持つように、有利に選ばれている。【００１５】  すべての振動を確実に検出するため、３つの異なる三次元軸線における測定のために設けられている加速度センサ４，５，６を有利に使用することができる。【００１６】  センサ（ヨーレイトセンサ）は、加速度センサ４，５，６と共に特別な板（ベービーボード）上に取付けることができる（図示せず）。これは、ヨーレイトセンサを加速度センサと共に固有のモジュールとして前もって製造できるという利点を持っている。【００１７】  更にハウジング１０及び／又は板７は、それが危険な機械的センサ励振又は振動から免れているように形成することができる。その場合ヨーレイトセンサ１は、最大振動振幅から離れた所にあるような個所に有利に置かれる。このような適当な個所は、例えば実験によって求めることができる。【００１８】  更に板７の取付け具８，９は、振動を減衰するように形成することができる。この方策により、ヨーレイトセンサ１へ伝達される有害な振動が更に減少される。【００１９】  ハウジング１０及び／又は板７は、機械的に外部からの振動励振の際、狭く限定された僅かな共振範囲しか生じないように、形成することができる。その場合ヨーレイトセンサは、共振範囲が生じない個所に置かれる。この場所は実験により求めることができる。【００２０】  本発明により加速度センサ４，５，６によって測定又は検出される振動は、電子装置３内で評価される。この振動が所定の強さを超過し、ここでは例えば３００〜４５０Ｈｚの危険な特定の振動数帯域内で生じるならば、電子装置３は、適当な方策例えば後に接続される機能素子の動作停止により、乱された出力信号が転送されて誤った車両反応をひき起こすのを防止する。【００２１】  本発明の適用によって、同時に費用を減少しながら、ＦＤＲシステム又は他のシステムの著しい改善が行われる。
【図面の簡単な説明】
【００２２】
【図１】  ハウジング内に取付けられて他の部品のほかにヨーレイトセンサを含む電子装置を概略図で示す。
【図１】
2007532932.tif 000003
【国際調査報告】
2007532932.tif 000004
2007532932.tif 000005
2007532932.tif 000006
2007532932.tif 000007
2007532932.tif 000008
2007532932.tif 000009